【手続補正書】
【提出日】平成19年1月10日(2007.1.10)
【手続補正１】
【補正対象書類名】明細書
【補正対象項目名】特許請求の範囲
【補正方法】変更
【補正の内容】
【特許請求の範囲】
【請求項１】
同シーンで、かつ、異なるフラッシュ発光量で撮影された複数の画像の画像データを取得するステップと、
取得された画像データを用いて、前記複数の画像を比較して、前記画像中の光量差が所定値以上ある領域を主要被写体として抽出するステップと、
前記画像データを用いて、肌色抽出を行うステップと、
前記光量差が前記所定値以上ある領域で、かつ肌色である領域を前記主要被写体とするステップとを有することを特徴とする主要被写体抽出方法。
【請求項２】
前記比較を、画像の濃度ヒストグラムを用いて行い、濃度変動量に基づいて前記主要被写体を判定する請求項１に記載の主要被写体抽出方法。
【請求項３】
前記光量差が所定値以上ある領域を抽出するステップは、
取得された前記画像データを用いて、前記複数の画像を比較して、前記画像中の光量差の大きな領域を初めに前記主要被写体として抽出するステップと、
前記主要被写体として抽出された前記光量差の大きな領域の中から前記光量差が所定値以上ある領域を再度前記主要被写体として抽出するステップとを有し、
前記肌色抽出を行うステップは、抽出された前記光量差が前記所定値以上ある領域の中から前記肌色である領域を抽出し、
前記主要被写体とするステップは、前記光量差が前記所定値以上あり、かつ肌色である領域を最終的に前記主要被写体とする請求項１または２に記載の主要被写体抽出方法。
【請求項４】
前記光量差が前記所定値以上あり、かつ肌色であることに加え、合焦している領域を前記主要被写体とする請求項１〜３のいずれかに記載の主要被写体抽出方法。
【請求項５】
同シーンで、かつ、異なるフラッシュ発光量で撮影された複数の画像の画像データを取得する手段と、
取得された画像データを用いて、前記複数の画像を比較して、前記画像中の光量差が所定値以上ある領域を主要被写体として抽出する手段と、
前記画像データを用いて、肌色を抽出する手段と、
前記光量差が所定値以上ある領域で、かつ肌色である領域を前記主要被写体とする手段とを有することを特徴とする画像処理装置。
【請求項６】
前記光量差が前記所定値以上ある領域を抽出する手段は、前記比較を、前記画像の濃度ヒストグラムを用いて行い、濃度変動量に基づいて前記主要被写体を判定する請求項５に記載の画像処理装置。
【請求項７】
前記光量差が所定値以上ある領域を抽出する手段は、
取得された前記画像データを用いて、前記複数の画像を比較して、前記画像中の光量差の大きな領域を初めに前記主要被写体として抽出する手段と、
前記主要被写体として抽出された前記光量差の大きな領域の中から前記光量差が所定値以上ある領域を再度前記主要被写体として抽出する手段とを有し、
前記肌色を抽出する手段は、抽出された前記光量差が前記所定値以上ある領域の中から前記肌色である領域を抽出し、
前記主要被写体とするステップは、前記光量差が前記所定値以上あり、かつ肌色である領域を最終的に前記主要被写体とする請求項５または６に記載の画像処理装置。
【請求項８】
前記光量差が前記所定値以上あり、かつ肌色であることに加え、合焦している領域を前記主要被写体とする請求項５〜７のいずれかに記載の画像処理装置。
【請求項９】
被写体を撮影する撮像装置であって、
前記異なるフラッシュ発光量で同シーンの前記複数の画像を撮影する手段と、
請求項５〜８のいずれかに記載の画像処理装置とを備えることを特徴とする撮像装置。
【手続補正２】
【補正対象書類名】明細書
【補正対象項目名】発明の名称
【補正方法】変更
【補正の内容】
【発明の名称】主要被写体抽出方法、画像処理装置および撮像装置
【手続補正３】
【補正対象書類名】明細書
【補正対象項目名】０００１
【補正方法】変更
【補正の内容】
【０００１】
【発明の属する技術分野】
本発明は、写真等における画像解析の技術分野に属し、詳しくは、適正な画像を出力するための有効な情報として利用される主要被写体の抽出を、高精度に行うことができる主要被写体抽出方法、これを行う画像処理装置およびこれを備える撮像装置に関する。
【手続補正４】
【補正対象書類名】明細書
【補正対象項目名】０００７
【補正方法】変更
【補正の内容】
【０００７】
本発明の目的は、前記従来技術の問題点を解決することにあり、撮影条件や撮影場所等が異なる様々なシーンにおいて、人物の顔等の主要被写体を適正に抽出することができる主要被写体抽出方法、これを行う画像処理装置およびこれを備える撮像装置を提供することにある。
【手続補正５】
【補正対象書類名】明細書
【補正対象項目名】０００８
【補正方法】変更
【補正の内容】
【０００８】
【課題を解決するための手段】
前記課題を解決するために、本発明は、同シーンで、かつ、異なるフラッシュ発光量で撮影された複数の画像の画像データを取得するステップと、取得された画像データを用いて、前記複数の画像を比較して、前記画像中の光量差が所定値以上ある領域を主要被写体として抽出するステップと、前記画像データを用いて、肌色抽出を行うステップと、前記光量差が前記所定値以上ある領域で、かつ肌色である領域を前記主要被写体とするステップとを有することを特徴とする主要被写体抽出方法を提供するものである。
【手続補正６】
【補正対象書類名】明細書
【補正対象項目名】０００９
【補正方法】変更
【補正の内容】
【０００９】
ここで、前記比較を、画像の濃度ヒストグラムを用いて行い、濃度変動量に基づいて前記主要被写体を判定するのが好ましく、また、前記光量差が所定値以上ある領域を抽出するステップは、取得された前記画像データを用いて、前記複数の画像を比較して、前記画像中の光量差の大きな領域を初めに前記主要被写体として抽出するステップと、前記主要被写体として抽出された前記光量差の大きな領域の中から前記光量差が所定値以上ある領域を再度前記主要被写体として抽出するステップとを有し、前記肌色抽出を行うステップは、抽出された前記光量差が前記所定値以上ある領域の中から前記肌色である領域を抽出し、前記主要被写体とするステップは、前記光量差が前記所定値以上あり、かつ肌色である領域を最終的に前記主要被写体とするのが好ましく、さらに、前記光量差が前記所定値以上あり、かつ肌色であることに加え、合焦している領域を前記主要被写体とするのが好ましい。
また、本発明は、同シーンで、かつ、異なるフラッシュ発光量で撮影された複数の画像の画像データを取得する手段と、取得された画像データを用いて、前記複数の画像を比較して、前記画像中の光量差が所定値以上ある領域を主要被写体として抽出する手段と、前記画像データを用いて、肌色を抽出する手段と、前記光量差が所定値以上ある領域で、かつ肌色である領域を前記主要被写体とする手段とを有することを特徴とする画像処理装置を提供するものである。
ここで、前記光量差が前記所定値以上ある領域を抽出する手段は、前記比較を、前記画像の濃度ヒストグラムを用いて行い、濃度変動量に基づいて前記主要被写体を判定するのが好ましい。
また、前記光量差が所定値以上ある領域を抽出する手段は、取得された前記画像データを用いて、前記複数の画像を比較して、前記画像中の光量差の大きな領域を初めに前記主要被写体として抽出する手段と、前記主要被写体として抽出された前記光量差の大きな領域の中から前記光量差が所定値以上ある領域を再度前記主要被写体として抽出する手段とを有し、前記肌色を抽出する手段は、抽出された前記光量差が前記所定値以上ある領域の中から前記肌色である領域を抽出し、前記主要被写体とするステップは、前記光量差が前記所定値以上あり、かつ肌色である領域を最終的に前記主要被写体とするのが好ましい。
また、前記光量差が前記所定値以上あり、かつ肌色であることに加え、合焦している領域を前記主要被写体とするのが好ましい。
さらに、本発明は、被写体を撮影する撮像装置であって、前記異なるフラッシュ発光量で同シーンの前記複数の画像を撮影する手段と、上記画像処理装置とを備えることを特徴とする撮像装置を提供するものである。
【手続補正７】
【補正対象書類名】明細書
【補正対象項目名】００１０
【補正方法】変更
【補正の内容】
【００１０】
【発明の実施の形態】
以下、本発明の主要被写体抽出方法、これを行う画像処理装置およびこれを備える撮像装置について、添付の図面に示される好適実施例を基に詳細に説明する。